Podtech/llm-jp-corpus-v4-ja_patent huggingface dataset:
(57)【要約】      （修正有）【課題】放熱性の優れた発光ダイオードユニット及び照明器具を提供する。【解決手段】表面に電源配線プリントされた基板に該基板を貫通する孔部を設け前記基板の裏面にヒートシンクを配設しその底面に放熱部材を備える発光ダイオードを前記孔部に挿入し、放熱部材とヒートシンクとを粘着部材により接合し発光ダイオードの電極端子と基板上の電源配線とを電気的に接続した。これにより、ＬＥＤより発生する熱の放熱性を高めることができ結果、発光ダイオードユニットに対して高い値の電流を流すことができＬＥＤの発光輝度を高めることが可能となる。【選択図】図１
0003164454.tif 000002
【実用新案登録請求の範囲】
【請求項１】
発光ダイオードを光源とする照明器具において、表面に電源配線がプリントされた基板に該基板を貫通する孔部が設けられ、前記基板の裏面にヒートシンクが配設されその底面に放熱部材を備える発光ダイオードが前記孔部に挿入され前記放熱部材とヒートシンクとが接合され、発光ダイオードの電極端子と基板上の電源配線とが電気的に接続されてなる発光ダイオードユニットを備える又発光ダイオードユニットは、交流電源にて駆動することを特徴とする照明器具。
【考案の詳細な説明】
【技術分野】
【０００１】本考案は、特に発光ダイオードより発生する熱の放熱性に優れた発光ダイオードユニット及び照明器具に関する。
【背景技術】
【０００２】照明器具の光源として、高出力、高輝度型の発光ダイオードが用いられるようになっている。
高出力のＬＥＤは、従来のＬＥＤに比べ輝度が高く発熱量も大きい。
放熱対策を施す必要がある。
【考案の概要】
【考案が解決しようとする課題】
【０００３】しかしながら従来の発光ダイオードユニットでは、ガラスエポキシや合成樹脂フィルム等の熱伝導性が低い材質により、形成されており効率よく放熱を行うことができない。
【課題を解決するための手段】
【０００４】本考案は表面に電源配線がプリントされた基板に、該基板を貫通する孔部を設け基板の裏面にヒートシンクを配設し、その底面に放熱部材を備える発光ダイオードを孔部に挿入し放熱部材とヒートシンクとを接合し、発光ダイオードの電極端子と基板上の電源配線とを電気的に接続。これにより発光ダイオードより生じる熱を効率よく放熱することができ、これにより上記課題を解決するものである。
【考案の効果】
【０００５】本考案に至る３フォース発光ダイオード・ヒートシンクは、基板に孔部を設けＬＥＤの放熱部材とヒートシンクとを直接接合。器具の筐体とヒートシンクとを当接させることにより照明器具全体で放熱することが、可能となり発光ダイオードに対し高値の電流を流すことができるようになり、照射輝度を高めることができ実用性に優れたものである。
【図面の簡単な説明】
【０００６】
【図１】本考案に至る発光ダイオードユニットの基板図
【図２】本考案に至る放熱部材・ヒートシンクの一部を構成する正面図
【図３】本考案に至る放熱部材・ヒートシンクの一部を構成する断面図
【考案を実施するための形態】
【０００７】図１及び図２示すように１０１は発光ダイオードが実装されてる基板である。
本実施の形態１では基板１０１として、ガラスエポキシ製のものを使用している。
基板１０１の表面には薄膜銅などにより電源配線１０２がプリント形成されている。
１０３は発光ダイオード（ＬＥＤ）である図２に示すようにその底面に金属製の放熱部材１０３ａを有する高出力タイプのものであり２本の電極端子１０３ｂを有している。
【０００８】図３に示すように基板１０１の底面には、アルミやステンレス等の金属部材によりなるヒートシンク１０５が接合される。本実施の形態において、ヒートシンク１０５の形状は基板１０１と同一形状のものとし基板１０１の裏面前面に接合している。
【０００９】上記工程により完成した本考案の３フォース発光ダイオード・ヒートシンクは、従来のＬＥＤユニットよりも高いほう熱効果を得ることができる。したがって従来のＬＥＤユニットより高い値の電流を流すことができるようになり、ＬＥＤ１０３の発光輝度を高めることが可能となった。
【符号の説明】
【００１０】１００：ＬＥＤユニット            １０３ａ：放熱部材
１０１：基板                      １０５：ヒートシンク
１０２：電源配線
１０３：ＬＥＤ
１０３ｂ：電極端子
１０４：孔部
【図１】
0003164454.tif 000003
【図２】
0003164454.tif 000004
【図３】
0003164454.tif 000005
(57)【要約】【課題】体力が低下し介護を必要とする人が、安心して用を足すことができるように工夫した洋式トイレを提供する。【解決手段】足腰の筋力が低下し、座ったり立ったりする動作が困難になった人にとっては便座面が高いほうが楽なので、高くした床面にトイレを設置することによって座りやすい高さを確保する。また、足元は動きやすくするための形状を作る。尚、壁面に補助具（手すり）を取り付けることにより、一層安定した姿勢を保つことができる。【選択図】図１
0003164139.tif 000002
【実用新案登録請求の範囲】
【請求項１】
高くした床面にトイレを設置した介護用高床トイレ。
【考案の詳細な説明】
【技術分野】
【０００１】  この考案は、要介護者のための介護用高床トイレに関するものである。
【背景技術】
【０００２】  従来、トイレの便座面の高さは健常者も体力が低下した人も同じである。
【考案の開示】
【考案が解決しようとする課題】
【０００３】  これは次のような欠点があった。
（イ）足腰の筋力が低下し介護を必要としている人にとっては、便座面が低すぎるため、用を足すときに座ったり立ったりするのが困難である。
（ロ）（イ）の人を介護する人の腰への負担が大きい。
本考案は、以上のような欠点をなくすためになされたものである。
【課題を解決するための手段】
【０００４】  トイレに座りやすくするために、便座面の位置を高くする。これは、トイレを設置する部分や、着座後姿勢を安定させるために足を乗せる部分を高くした床を作ることで解決できる。また、足元は利用者・介護者双方の動きに安全な空間を確保する形状にする。
本考案は、以上の構成より成る、介護用高床トイレである。
【考案の効果】
【０００５】  （イ）トイレの座面が高くなったことにより、利用者が楽に座ったり立ったりできるようになる。
（ロ）介護する人も中腰での姿勢が少なくなり、腰への負担が軽減される。
【考案を実施するための最良の形態】
【０００６】  以下、本考案を実施するための最良の形態について説明する。
従来の床面とトイレを設置するために高くした床面との高さの差を利用することによって、座ったり立ったりを楽にすることができる。足元は利用者が身体の向きを変えたり、介護者が利用者を補助するときの動きに必要な空間を考えた形状にすることで、両者の負担を軽減することができる。尚、掴まるための補助具（手すり）を設置しておくことでより安心して利用できる。
【図面の簡単な説明】
【０００７】
【図１】本実施形態を示す斜視図である
【符号の説明】
【０００８】    １  高くした床
２  空間を確保する形状
【図１】
0003164139.tif 000003
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
介護用トイレにおいて、便器に腰掛けたり立ち上がったりしやすいように、足元に空間を確保する形状（図１−１）と、着座後安定した姿勢を保てるように、足を載せる部分（図１−２）を備えた台座（図１−３）の上に設置した介護用高床トイレ。
【手続補正２】
【補正対象書類名】明細書
【補正対象項目名】０００４
【補正方法】変更
【補正の内容】
【０００４】  便器に座りやすくするために、便座面の位置を高くする。これはトイレを設置する部分や、着座後姿勢を安定させるために足を載せる部分を高くした台座の床を作ることで解決できる。また、足元は利用者・介護者双方の動きに安全な空間を確保する形状にする。
本考案は、以上の構成より成る介護用高床トイレである。
【手続補正３】
【補正対象書類名】明細書
【補正対象項目名】０００６
【補正方法】変更
【補正の内容】
【０００６】  以下、本考案を実施するための最良の形態について説明する。
従来の床面とトイレを設置するために高くした台座との高さの差を利用することによって、座ったり立ったりを楽にすることができる。足元は利用者が身体の向きを変えたり、介護者が利用者を補助するときの動きに必要な空間を考えた形状にすることで、両者の負担を軽減することができる。尚、掴まるための補助具として手すりを設置しておくことでより安心して利用できる。
【手続補正４】
【補正対象書類名】明細書
【補正対象項目名】０００８
【補正方法】変更
【補正の内容】
【０００８】１  足元に空間を確保する形状
２  着座後足を載せる部分
３  台座
【手続補正５】
【補正対象書類名】図面
【補正対象項目名】全図
【補正方法】変更
【補正の内容】
【図１】
0003164139.tif 000004
【手続補正書】
【提出日】平成22年8月25日(2010.8.25)
【手続補正１】
【補正対象書類名】実用新案登録請求の範囲
【補正対象項目名】全文
【補正方法】変更
【補正の内容】
【実用新案登録請求の範囲】
【請求項１】
台座の上に介護用トイレを設置した介護用高床トイレであって、前記台座の便器前方中央部には、便器に腰掛けたり立ち上がったりしやすいように、足元に空間を確保するための凹部が設けられ、前記台座の便器前方両側には、前記凹部が設けられないことにより、着座後安定した姿勢を保つための着座後に足を載せる部分が設けられた介護用高床トイレ。
【手続補正２】
【補正対象書類名】明細書
【補正対象項目名】０００８
【補正方法】変更
【補正の内容】
【０００８】  １  足元に空間を確保する形状
２  着座後足を載せる部分
【手続補正３】
【補正対象書類名】図面
【補正対象項目名】全図
【補正方法】変更
【補正の内容】
【図１】
0003164139.tif 000005
(57)【要約】      （修正有）【課題】窓ガラスを破壊し外部から家屋内へ侵入しようとする行為を防止し、簡易に設置できる窓用侵入防止装置を提供する。【解決手段】等間隔に開けられたパイプ穴にステンレス製パイプを挿し、アルミ製側板を窓枠左右にネジで固定する。【選択図】図１
0003164154.tif 000002
【実用新案登録請求の範囲】
【請求項１】
アルミ側板に等間隔に開けられたパイプ穴にステンレス製パイプを通し、ネジで窓枠に側板を固定する防犯設備
【考案の詳細な説明】
【技術分野】
【０００１】  本発明は、窓ガラスを破壊し、外部から室内に侵入しようとする行為を防止する装置に関するものである。
【背景技術】
【０００２】ルーバー窓用防犯内格子装置は、特開２００４−３６０３４５により公知となっている。
【考案の概要】
【考案が解決しようとする課題】
【０００３】  しかしながら、設置の際に大小複数のネジを固定する必要があり面倒である。【０００４】  そこで本考案は、以上の課題を解決しつつ、窓ガラスからの侵入を防ぐ装置を提供することを目的とした。
【課題を解決するための手段】
【０００５】  本考案は、アルミ製側板を窓枠に設置する方法として、２つのパイプ穴の中間部にネジ穴を開け、そこにネジを用い側板を固定する方法を形成したことを特徴とする。
【考案の効果】
【０００６】  以上のように、簡易に侵入防止装置を設置することができ、効果的に外部からの侵入を阻止することが可能である。
【考案を実施するための形態】
【０００７】  等間隔にパイプ穴とネジ穴を開けられたアルミ製側板を、窓枠左右に１本ずつ立て、パイプ穴にステンレス製パイプを挿し、アルミ製側板をネジで窓枠に固定する。
【図面の簡単な説明】
【０００８】
【図１】  窓枠に装置が設置された状態を表した概略斜視図である。
【図２】  アルミ製側板の平面図である。
【符号の説明】
【０００９】１  窓枠
２  アルミ製側板
３  ステンレス製パイプ
４  ネジ穴
５  パイプ穴
６  ネジ穴
【図１】
0003164154.tif 000003
【図２】
0003164154.tif 000004
(57)【要約】      （修正有）【課題】猛暑の続く体温より高い熱風の中での外出は健康な人でも耐えられない。もはや扇子では体温を下げることは出来ない毎日のこと、安価で手軽で体温低下を計るものを提供する。【解決手段】風呂上りの時、体の水分を蒸発させる時、体温をうばうのでずい分涼しくなる。この原理を使って体温の低下を計りたいと考え、オシャレを重視して首をぬらし続けるハンカチ首まきを実現した。【選択図】図１
0003164158.tif 000002
【実用新案登録請求の範囲】
【請求項１】
ハンカチを三角に折りその中に巾３ｃｍ〜５ｃｍで長さは首回り
0003164158.tif 000003
物を入れ対角線にそって中央の低辺に入れ動かないように縫いつけハンカチの二重になった三角も動かないように縫い合せて作ったハンカチ首まき
【考案の詳細な説明】
【技術分野】
【０００１】  猛暑の続く体温より高い熱風の中での外出は健康な人でもたえられない。もはやセンスでは体温を下げることは出来ない毎日のこと何としても安価で手軽で体温低下を計るものはないかと考へた。
【背景技術】
【０００２】  特に女性の場合は日傘とせンスしか体温の低下は計れなく即効性のない熱中症対策である。
【考案の開示】
【考案の解決しようとする課題】
【０００３】  何としてもおしゃれで即効性のある熱中症対策と思った
【課題を解決するための手段】
【０００４】  風呂上りの時  体の水分を蒸発させるため体温をうばうので体温は一気にさがる  この原理を使っておしゃれに体温低下がはかりたいと考へた。
【０００５】  女性は髪の毛をみだすことも出来ないし顔をぬれたタオルでふくことも出来ない体温の低下をはかるのは首を冷やすしかないと考へる  オシャレで体を冷やす所は首しかないと考へた。
【０００６】  ネッカチーフの感覚できれいなハンカチに図２、図３、図４  図５のやうに水分をふくんだハンカチ首まきで首に常に水分をあたえつづける事で水分の蒸発の原理で体温はさがり熱中症対策には効果は大きい
【０００７】  ペットボトルの水又はお茶を氷らせぬれたハンカチ首まきをまきつけて取りかえたりすれば特に良い
【考案を実施するための形態】
図５のように折ったハンカチ首まきを首にまき前でおしゃれにむすんだりブローチなどで止めたりする
【実施例】  それぞれの年に合ったハンカチを用いて作る
【図面の簡単な説明】
【図１】  ハンカチ首まきを着用した図
【図２】  水分を保つために入れるタオルや布を縫いつけた図
【図３】  ハンカチを三角に折り開かないように縫った図
【図４】  それぞれすきな形に折って使用する図
【図５】  中のしん（タオルなど）にまきつけて５の先で前にてむすぶ
【符号の説明】１    ハンカチ首まきをぬらして前でしばった図
２    ハンカチ
３    水を多くふくませるためのタオル又は布や水分を多くふくむことの出来る素材
４    三角が開かないように縫った図
５    ここで首の前に持って来てむすぶことになる
【図１】
0003164158.tif 000004
【図２】
0003164158.tif 000005
【図３】
0003164158.tif 000006
【図４】
0003164158.tif 000007
【図５】
0003164158.tif 000008
(57)【要約】      （修正有）【課題】瓦棒葺き屋根面の瓦棒部に、直に設置することのできる足場クランプを提供する。【解決手段】瓦棒葺き屋根面の瓦棒部に、直に設置することのできる足場クランプは、鋼製単菅を結合するための鋼管クランプ１と、瓦棒部に取り付けするための取付金具２とから構成される。該鋼管クランプ１と該取付金具２とはボルトナット４を介して連結されて一体を成し、該取付金具２は下向きに開口したコの字形状であって、瓦棒葺き屋根面の瓦棒部の上から被せるように取り付けし、該取付金具２脚部の左右に貫通して付属するボルトナット３を締め付けすることで該取付金具２脚部の間隔を狭め、該瓦棒部に係止して固定し設置する。【選択図】図２
0003164164.tif 000002
【実用新案登録請求の範囲】
【請求項１】
瓦棒葺き屋根面の瓦棒部に、直に設置することのできる足場クランプは、鋼製単菅を結合するための鋼管クランプと、瓦棒部に取り付けするための取付金具とから構成され、該鋼管クランプと該取付金具とはボルトナットを介して連結されて一体を成し、該取付金具は下向きに開口したコの字形状であって、瓦棒葺き屋根面の瓦棒部の上から被せるように取り付けし、該取付金具脚部の左右に貫通して付属するボルトナットを締め付けすることで該取付金具脚部の間隔を狭め、該瓦棒部に係止して固定し設置することができることを特徴とする足場クランプ。
【考案の詳細な説明】
【技術分野】
【０００１】  本考案は、建設現場等の仮設足場を組立てるパイプ等を連結固定する足場クランプに関する。
【背景技術】
【０００２】  従来より、足場クランプに於いては、建設現場等の仮設足場工事に伴う鋼製単菅等の結合や足場板の設置などの用途に応じた様々な形状の仮設用クランプが市販されている。
【考案の概要】
【考案が解決しようとする課題】
【０００３】  しかしながら、瓦棒葺き屋根面に直に設置することを専用とした仮設用クランプは無く、特に体育館など大型建築物に於ける瓦棒葺き屋根面の改修工事等には、屋根面上に仮設足場を設けることが容易ではないという問題点を有していた。【０００４】本考案は、上記従来有する問題点に鑑み、瓦棒葺き屋根面の瓦棒部に、直に設置することのできる足場クランプを提供しようとするものである。
【課題を解決するための手段】
【０００５】  瓦棒葺き屋根面の瓦棒部に、直に設置することのできる足場クランプは、鋼製単菅を結合するための鋼管クランプ１と、瓦棒部に取り付けするための取付金具２とから構成され、該鋼管クランプ１と該取付金具２とはボルトナット４を介して連結されて一体を成し、該取付金具２は下向きに開口したコの字形状であって、瓦棒葺き屋根面の瓦棒部の上から被せるように取り付けし、該取付金具２脚部の左右に貫通して付属するボルトナット３を締め付けすることで該取付金具２脚部の間隔を狭め、該瓦棒部に係止して固定し設置することができることを特徴とした。
【考案の効果】
【０００６】  本考案によれば、瓦棒葺き屋根面の任意の瓦棒部に、直に足場クランプを設置することができ、余計な仮設工事を必要とせず、作業効率および作業の安全性の向上が期待できる。【０００７】また、本考案の足場クランプを瓦棒葺き屋根面の瓦棒部に設置し、鋼製単菅を結合することで、雪止めとしての使用も容易に可能である。【０００８】また、本考案の足場クランプは、鋼管クランプと取付金具とを連結するボルトナットを調節することで、該鋼管クランプ部分の方向調節をすることができる。
【図面の簡単な説明】
【０００９】
【図１】  本考案に於ける足場クランプの斜視図である。
【図２】  本考案に於ける足場クランプの構造を説明する分解図である。
【考案を実施するための形態】
【００１０】  以下、本考案の実施の形態について、図面を参照して説明する。
図１および図２に示すように、瓦棒葺き屋根面の瓦棒部に、直に設置することのできる足場クランプは、鋼製単菅を結合するための鋼管クランプ１と、瓦棒部に取り付けするための取付金具２とから構成され、該鋼管クランプ１と該取付金具２とはボルトナット４を介して連結されて一体を成し、該取付金具２は下向きに開口したコの字形状であって、瓦棒葺き屋根面の瓦棒部の上から被せるように取り付けし、該取付金具２脚部の左右に貫通して付属するボルトナット３を締め付けすることで該取付金具２脚部の間隔を狭め、該瓦棒部に係止して固定し設置することができることを特徴とした。
【符号の説明】
【００１１】    １    鋼管クランプ
２    取付金具
３    ボルトナット
４    ボルトナット
【図１】
0003164164.tif 000003
【図２】
0003164164.tif 000004
(57)【要約】【課題】  電子レンジで、野菜や肉類の蒸す、温めるなどの調理をするのに便利な調理器であって、シリコンゴム素材の本体容器と蓋とで構成され、レンジ調理後の容器本体からの蓋の取り外しを容易にすることを目的とする。【解決手段】  素材であるシリコンゴム素材のもつ耐熱温度約２２０度Ｃ、耐冷温度約−４０度Ｃという特徴を生かして容器本体および蓋を構成し、密封性の高い容器とするとともに調理後の熱い状態であっても蓋を容器本体から簡単に取り外すことができるよう、蓋の縁の一部を他の部分よりも肉薄に形成して蓄熱量が少なく、摘まみやすいものとした。【選択図】図１
0003164163.tif 000002
【実用新案登録請求の範囲】
【請求項１】
シリコンゴム素材の容器は電子レンジによる調理に使用する、シリコンゴム素材は素材同士の粘着効果がある特徴を生かし容器に対して蓋部分を大きくかぶせる形状にして、下容器中空間部分に合わせて蓋内側に７ミリの凸部分を設け空気が抜けにくい状態を構築、電子レンジによる、蒸す、温める、料理に効果が有り調理が終われば、蓋の縁の一部を他の部分より肉薄に１ミリに形成して蓄熱量が少なく摘まみやすいものにしたので蓋部分は簡単にはずせる、洗剤で洗うことが出来るので清潔、熱湯消毒も可能、高熱の料理処理、高熱物の扱いも可能な、シリコンゴム素材は医療器具にも使用されていて、食品に安心して使用できる素材で電子レンジによる調理を快適に使用できる事を特徴とする電子レンジ用調理容器。
【考案の詳細な説明】
【技術分野】
【０００１】  本考案は、電子レンジでの調理に使用するシリコンゴム製調理容器に関する。
【背景技術】
【０００２】  従来の電子レンジ調理用に容器は存在していたがレンジ調理すると容器は蓋が堅く外れにくい、熱で形状が変形する、蓄熱効果が高く調理後扱いにくい、容器の安全性に問題有りの物などを多く使用していた。
【先行技術文献】
【特許文献】
【０００３】
【特許文献１】  特開２００４−２１９０３６
【考案の開示】
【考案が解決しようとする課題】
【０００４】本考案の前記の課題を解決し、シリコンゴムを素材とし、電子レンジでの調理、特に蒸し器調理に適した調理容器を提供することを目的とする。
【課題を解決するための手段】
【０００５】上記課題を解決するために、本考案の調理容器は、シリコンゴムを素材とした容器とその蓋とからなり、耐熱使用のできるもので、蓋の縁の一部を他の部分より肉薄に形成して蓄熱量が少なく、摘まみやすいものにしたので蓋部分は簡単に容器から取はずせ、野菜や肉類を電子レンジで快適に調理できることを特徴とする。
【考案の効果】
【０００６】本考案においては、調理容器としての容器とその蓋をシリコンゴムで形成したので、耐熱性はもちろんのこと、容器の洗浄や消毒が容易に出来るので清潔を保ちやすく、調理後の容器の取扱いも容易である。
【図面の簡単な説明】
【０００７】
【図１】本考案の調理容器の全体を示した図
【図２】本体上からの図
【図３】本体横斜めからの図
【図４】蓋裏側からの図
【図５】本体下からの図
【図６】全体横長辺側からの図
【図７】全体横短辺側からの図
【図８】蓋上からの図
【考案を実施するための形態】
【０００８】以下、本考案を図とともに説明する。
図１に示す、容器は、シリコンゴム素材を使用しているので、電子レンジでの調理に良好な容器を提供する、（１）蓋の縁の一部を他の部分より肉薄に厚さ１ミリにて形成して蓄熱量が少なく摘まみやすいものにしたので蓋部分は簡単にはずせる、シリコンゴム素材同士粘着しやすいが少しの力で離れる性質を利用下容器（３）（４）部分と上蓋（９）（８）部分を接触（１０）凹部分に合わして蓋の（７）７ミリの凸部分がしっかり収まり（１１）１４センチ×９．５センチの容器中部分の密封性が高まり調理の時、熱効率が良いので調理時間が短縮出来る。（５）は両サイドにギザギザ部分を付けて接触部分を少なくして調理後蓄熱量が少なく持ちやすい構造、（６）部分に凸を付けて容器下部分の強度を強くした、電子レンジでの、蒸す、温める、（１１）容器中に入れた野菜や肉類の調理が速く簡単に出来る。
【産業上の利用可能性】
【０００９】容器のシリコンゴム素材は医療器具にも使用されているので、電子レンジクッキングが安全で野菜や肉類の蒸す、温めるなどの調理に便利で容器本体から蓋の取り外しが容易なので調理後容器の扱いが楽に出来る効果がある。
【符号の説明】
【００１０】（１）蓋をはずすときに持ち上げる摘み
（２）蓋の持ち手
（３）下側の容器本体、蓋（９）部分との接触部分
（４）下側の容器本体、蓋（８）部分との接触部分
（５）両サイドにある持ち上げる為のギザギザ部分
（６）凹みを支える下向き凸部分
（７）蓋裏側に設けた下容器本体中部分に合わした７ミリの凸部分
（８）蓋内側（４）部分との接触部分
（９）蓋内側（３）部分との接触部分
（１０）下側の容器本体の内側面
（１１）下容器本体の中部分
【図１】
0003164163.tif 000003
【図２】
0003164163.tif 000004
【図３】
0003164163.tif 000005
【図４】
0003164163.tif 000006
【図５】
0003164163.tif 000007
【図６】
0003164163.tif 000008
【図７】
0003164163.tif 000009
【図８】
0003164163.tif 000010
(57)【要約】      （修正有）【課題】かえし機能を持たせ、中の物が落ちるのを防ぐ衣類のポケットを提供する。【解決手段】衣類のポケット入口の内側にかえし部分を入れ、入口を結合し入口の中を筒状の二重にする。【選択図】図１
0003164165.tif 000002
【実用新案登録請求の範囲】
【請求項１】
衣類のポケット入口の内側に筒状の生地を取り付け、かえしの役割のストッパー機能を備えたポケット。
【請求項２】
衣類のポケット入口を内側に折り曲げ、折り曲げた部分を筒状にして、かえしの役割のストッパー機能を備えたポケット。
【考案の詳細な説明】
【技術分野】
【０００１】本考案は、ポケット入口の内側の筒状の布生地を取り付け、かえしの役割をする機能を付けたポケットを言う。又は、ポケット入口を内側に折り曲げ返し付きと同じ形状にする。
【従来の方式】
【０００２】今までのポケットの入口は一重の袋の状態で、返しの機能が無いため、入口の方が低くなると物が落ちてしまう。又、物が落ちないようにチャックなどをポケットの入口に付けると、物を取り出すのに面倒だった。
【考案の概要】
【考案が解決使用とする課題】
【０００３】ポケットの入口が寝たり座ったりしてポケット本体より低くなった時、中の物がよく落ちる。又、胸のポケットの場合、かがむとよく物が落ちる。
【問題を解決するための手段】
【０００４】ポケット本体１にポケット本体入口３の部分の内側にかえし部分２を入れ、太線部分４を結合しポケット入口を二重にして、中のかえし部分２の筒状の形態にストッパーの機能を持たせる。また、ポケットの中の物を取り出す時、かえし部分２がめくれ出ないよう、ポケット内側に５を結合して固定する。
【考案の効果】
【０００５】ポケットの入口に二重にした内側の筒状の布がかえしと呼ばれるストッパー機能が中の物が落ちるのを防ぐ。
【図面の簡単な説明】
【図１】本考案の側面図である。
【図２】本体の断面図である。
【図１】
0003164165.tif 000003
【図２】
0003164165.tif 000004
(57)【要約】      （修正有）【課題】従来の実用性と携帯性を残しながら、使用中誤ってスクリーンやレンズに再び指が付かないよう工夫し、携帯電話の筐体に被せることも可能でデザイン性を増せる携帯クリーナーを提供する。【解決手段】パンツ形状等の任意の形状に成形された、袋状の携帯用クリーナー１において、一部にクリーナー生地を有し、袋状の部分は、内部に通じる開口部３を１ヶ所以上設けておく。また、開口部は、伸縮性を有する素材２を使用する。携帯用クリーナー１を使用する際は、開口部３に指を入れて、携帯電話のスクリーンを拭く。また、使用しないときは、そのままストラップとしてぶら下げるか、開口部３を携帯電話に履かせた状態で使用する。【選択図】図２
0003164106.tif 000002
【実用新案登録請求の範囲】
【請求項１】
任意の形状に成形した、袋状の携帯用クリーナーにおいて、前記袋状の一部に極細繊維からなるクリーナー生地面を有し、且つ前記袋状の内部に通じる開口部が１ヶ所以上設けられていることを特徴とする携帯用クリーナー。
【請求項２】
前記任意の形状は、パンツ形状、くつ下形状、ティーシャツ形状、帽子形状、手袋形状から選択される一つの形状であることを特徴とする請求項１に記載の携帯用クリーナー。
【請求項３】
前記開口部は、少なくとも１ヶ所が伸縮性を有する素材になっていることを特徴とする請求項１乃至請求項２に記載の携帯用クリーナー。
【考案の詳細な説明】
【技術分野】
【０００１】
本考案は、携帯電話のスクリーン画面やめがねのレンズを拭く為の携帯クリーナーに関するものである。
【背景技術】
【０００２】
従来、携帯電話のスクリーン画面やめがねのレンズを拭く為の単なる布地や、ストラップ下げ飾り部分の一部にクリーナー生地が使用されているものが考案されている。
【０００３】
そして、立体的で意匠性に優れる携帯電話機用クリーナー等が考案されている。
【特許文献１】特開２００５−２８３５４
【考案の開示】
【考案が解決しようとする課題】
【０００４】
しかしながら、携帯電話のスクリーン画面やめがねのレンズを拭く為の単なる布地では、携帯するには大きすぎ、ストラップ下げ飾り部分がプラスチック素材で出来たものは、レンズを傷つけるおそれがあり、多くの改良の余地があった。
【０００５】
本考案は、上記問題を解決するため成されたもので、従来の実用性と携帯性を残しながら、使用中誤ってスクリーンやレンズに再び指が付かないよう工夫し、携帯電話の筐体に被せることも可能でデザイン性を増せる携帯クリーナーを提供する。
【課題を解決するための手段】
【０００６】
請求項１に記載の考案は、任意の形状に成形した、袋状の携帯用クリーナーにおいて、前記袋状の一部に極細繊維からなるクリーナー生地面を有し、且つ前記袋状の内部に通じる開口部が１ヶ所以上設けられていることを特徴とする。
【０００７】
請求項２に記載の考案は、前記任意の形状は、パンツ形状、くつ下形状、ティーシャツ形状、帽子形状、手袋形状から選択される一つの形状であることを特徴とする。
【０００８】
請求項３に記載の考案は、前記開口部の少なくとも１ヶ所は、伸縮性を有する素材になっていることを特徴とする。
【考案の効果】
【０００９】
請求項１に記載の考案によれば、画面を傷つけることなく、又指を開口部に突っ込んで使用すると、画面に指紋を付けることなく拭き取ることが出来る。
【００１０】
請求項２に記載の考案によれば、袋状の形態を、パンツ形状、ティシャツ形状等にすることで、携帯用にぶら下げてもカワイイものを持ち歩くことが出来る。
【００１１】
請求項３に記載の考案によれば、不使用時に伸縮性を有する開口部から、簡単に携帯電話本体に被せることができ、伸縮性により緩まない。
【考案を実施するための最良の形態】
【００１２】
本考案の携帯クリーナーは、パンツ形状等の任意の形状に成形された、袋状の携帯用クリーナーにおいて、一部にクリーナー生地を有し、袋状の部分は、内部に通じる開口部を１ヶ所以上設けておく。また、開口部は、伸縮性を有する素材を使用する。
【実施例】
【００１３】
以下、図面を参照して本考案に係る携帯クリーナーの実施例を説明する。
図１は、本考案の携帯用クリーナーの表面図である。図２は、本考案の携帯用クリーナーのクリーナー生地面を有する裏面図である。図３及び図４は、本考案の携帯用クリーナーの使用図である。図５は、本考案の携帯用クリーナーの別形状に成形した図である。
【００１４】
まず、図のように２枚のパンツ形状の布地を対峙させて、開口部以外の外周縁を縫着して袋状に形成し、パンツの構造上３ヶ所の開口部３に縁取りを施した携帯クリーナー１を完成させる。
【００１５】
ここで、図１のように１枚目の布地の表面上には、図柄４をプリントし、図２のように、２枚目にはクリーナー生地５を全面に用いたものにする。
【００１６】
そして、上記クリーナー生地５は、特にポリエステル又はナイロンを含有する極細の繊維素材が望ましいが、スエード、ベロア等の皮革又は起毛加工が施された布地等を用いても構わない。
【００１７】
また、３ヶ所ある開口部３の縁取りのうち、腰部分にあたる開口部の縁取りは、伸縮性のある素材２にする。
【００１８】
この伸縮性のある素材２には、縁取りして出来た筒中にゴムを通したものでも、ゴムバンド状のものも含まれる。
【００１９】
このようにして完成した携帯用クリーナー１を使用する際は、図３のように、開口部３に指６を入れて、携帯電話のスクリーン７を拭いて使用し、不使用の際は、そのままストラップとしてぶら下げるか、図４のように、開口部３を携帯電話８に履かせた状態で使用することが出来る。
【００２０】
なお、携帯電話用ストラップとして使用できるよう本考案の携帯クリーナーの本体に紐やチェーン等を連結させておく。
【００２１】
最後に、本実施例では、パンツ形状を用いて説明したが、袋状になる構造になるものであれば、例えば図５のように手袋形状でも同様の効果を生じるものとなる。
【００２２】
この場合、手袋の手のひら部分に別途クリーナー生地５をあてても良い。
【００２３】
このように、好ましい実施例を挙げて本考案を説明したが、本考案はその実施例に限定されるものではなく、本考案の要旨の範囲内で種々に改変できる。
【図面の簡単な説明】
【００２４】
【図１】本考案の携帯クリーナーの表面図である。
【図２】本考案の携帯クリーナーのクリーナー生地面を有する裏面図である。
【図３】本考案の携帯クリーナーの使用図である。
【図４】本考案の携帯クリーナーの使用図である。
【図５】本考案の携帯クリーナーの別形状に成形した図である。
【符号の説明】
【００２５】
１  携帯クリーナー
２  伸縮性を有する素材
３  開口部
４  図柄
５  クリーナー生地
６  指
７  携帯電話のスクリーン
８  携帯電話
【図１】
0003164106.tif 000003
【図２】
0003164106.tif 000004
【図３】
0003164106.tif 000005
【図４】
0003164106.tif 000006
【図５】
0003164106.tif 000007
(57)【要約】      （修正有） 【課題】落下時や着脱の際に人や環境に負荷をかけないマグネット製品を提供する。【解決手段】和菓子等任意の形状に形成したポリウレタン樹脂の一部にマグネットを埋設する。ポリウレタン樹脂の外観が、和菓子、洋菓子、動物、キャラクター形状に成形されたものであることを特徴とする。軟らかい素材を用いることで、衝撃で壊れにくく、触っても成形物の感触を楽しむことが出来る。【選択図】図１
0003164107.tif 000002
【実用新案登録請求の範囲】
【請求項１】
ポリウレタン樹脂の内部にマグネットが埋設されていることを特徴とするマグネット製品。
【請求項２】
ポリウレタン樹脂の外観が、和菓子、洋菓子、動物、キャラクター形状に成形されたものであることを特徴とする請求項１に記載のマグネット製品。
【考案の詳細な説明】
【技術分野】
【０００１】
会社や学校、家庭用等で利用するメモ紙や予定表等をスチール製品の表面に固定するマグネット製品に関するものである。
【背景技術】
【０００２】
従来、ホワイトボードやスチール棚等の事務製品や冷蔵庫等の家電製品を始めとするあらゆるスチール製品の表面に、書類やメモ用紙等を固定するための手段の一つとしてマグネットにプラスチック製等のキャップを被せたマグネットが使用されている。
【０００３】
そして、メモ紙をスチール板と磁石の間で押さえるのではなく、磁石カバーに覆われており、そのカバー部分に設けられた隙間に差し込んで挟めるものが知られている。
【特許文献１】特開平８−６９９１４
【考案の開示】
【考案が解決しようとする課題】
【０００４】
しかしながら、プラスチック製だけでは、任意の成形をよりリアルに再現することは出来ても、硬い素材では、落下時に壊れ安く、また、書類やメモ用紙等を固定するための手段であるため、使用時の手触り感にこだわったマグネット製品は無く、多くの改良の余地があった。
【０００５】
本考案は、上記問題を解決するため成されたもので、軟らかい素材に着目し、落下時や着脱の際に人や環境に負荷をかけないマグネット製品を提供する。
【課題を解決するための手段】
【０００６】
請求項１に記載の考案は、ポリウレタン樹脂の内部にマグネットが埋設されていることを特徴とする。
【０００７】
請求項２に記載の考案は、ポリウレタン樹脂の外観が、和菓子、洋菓子、動物、キャラクター形状に成形されたものであることを特徴とする。
【考案の効果】
【０００８】
請求項１に記載の考案によれば、軟らかい素材を用いることで、衝撃で壊れにくく、触っても成形物の感触を楽しむことが出来る。
【０００９】
請求項２に記載の考案によれば、見た目と併せて触っても成形物の感触を楽しむことが出来る。
【考案を実施するための最良の形態】
【００１０】
本考案のマグネット製品は、和菓子等任意の形状に形成したポリウレタン樹脂の一部にマグネットを埋設する。
【実施例】
【００１１】
以下、図面を参照して本考案に係るマグネット製品の実施例を説明する。
図１は、本考案のマグネット製品の斜視図であり、図２は、本考案のマグネット製品の断面図であり、図３は、本考案のマグネット製品の使用図である。
【００１２】
まず、ポリウレタン樹脂２を、和菓子である饅頭の形状に成形し、内部にマグネット３を埋設してマグネット製品１を完成する。
【００１３】
そして、マグネット３を埋設する場合は、図２のように、饅頭の底面付近に位置することで、磁力を弱めないようにする。
【００１４】
また、マグネット３自体も、できるだけ強力な磁石を使用することが望ましい。
【００１５】
ここで、図１のように、表面に文字や図形４等をプリントしたりエンボス加工等して、饅頭をリアルに仕上げることが望ましい。
【００１６】
更に、饅頭を半分に割って、中身があんこや餅や栗等であることを表現すると、単なるマグネット製品にとどまらず、ディスプレイやインテリアとしても使用可能となる。
【００１７】
また、マグネット３は、１箇所に限らず、複数箇所の埋設でも構わない。
【００１８】
なお、埋設方法は、二つの型枠にポリウレタン樹脂を流し込み、一方の型枠に流し込んだポリウレタン上にマグネットを配設し、もう一方の型枠と合わせて圧着する方法が一般的であるが、特に製造方法は、限定しない。
【００１９】
実施例では、和菓子である饅頭に成形したマグネット製品であったが、饅頭に限らず、軟らかい素材の特色が生かせるものであれば、洋菓子、動物、キャラクター形状等何でも良い。
【００２０】
使用の際は、図３のように、メモ紙を挟んでスチール板に着けて使用する。
【００２１】
このように、好ましい実施例を挙げて本考案を説明したが、本考案はその実施例に限定されるものではなく、本考案の要旨の範囲内で種々に改変できる。
【図面の簡単な説明】
【００２２】
【図１】本考案のマグネット製品の斜視図である。
【図２】本考案のマグネット製品の断面図である。
【図３】本考案のマグネット製品の使用図である。
【符号の説明】
【００２３】
１  マグネット製品
２  ポリウレタン樹脂
３  マグネット
４  図形
５  メモ用紙
【図１】
0003164107.tif 000003
【図２】
0003164107.tif 000004
【図３】
0003164107.tif 000005
(57)【要約】      （修正有）【課題】エンボスを利用したエアーフレッシュナーシートによって、より立体的なエアーフレッシュナーシートを提供する。【解決手段】エアーフレッシュナーシート１は、フレグランス成分を含むシートの表面にエンボス加工を施す。また、フレグランス成分を含むシートを２枚以上重ねて固着する。なお、エアーフレッシュナーシートのシートとは、紙製のものが望ましいが、布製、木製、あるいはこれらにその他の材質が混ざっている厚さの薄い板状のものであっても良い。又、エアーフレッシュナーシート１の全体の形状は、食べ物、キャラクター、建物、乗り物、人物、魚、昆虫、恐竜、植物等、何でも構わない。例えば、板チョコレートをモチーフにしたエアーフレッシュナーシート１を製造する場合、折れ目と文字や図形にエンボス加工を施すことで、凸凹部分２を成形し、立体的なエアーフレッシュナーシート１が可能となる。【選択図】図１
0003164128.tif 000002
【実用新案登録請求の範囲】
【請求項１】
フレグランス成分を含むシートの表面にエンボス加工が施されていることを特徴とするエアーフレッシュナーシート。
【請求項２】
上記エンボス加工を施したフレグランス成分を含むシートを２枚以上重ねて固着していることを特徴とする請求項１に記載のエアーフレッシュナーシート。
【考案の詳細な説明】
【技術分野】
【０００１】
本考案は、エンボスを利用したエアーフレッシュナーシートに関するものである。
【背景技術】
【０００２】
従来、フレグランス成分を含むシートが販売されまた考案もされている。
【０００３】
そして、芳香紙表面にキャラクターや図形等が印刷されたものが知られている。
【特許文献１】実願平１０−６６６４号
【考案の開示】
【考案が解決しようとする課題】
【０００４】
しかしながら、表面の印刷だけでは物足らず、より芳香を増すための工夫や、シートを立体的に見せるための工夫がなされておらず、多くの改良の余地があった。
【０００５】
本考案は、上記問題を解決するため成されたもので、エンボスを利用したエアーフレッシュナーシートによって、より立体的なエアーフレッシュナーシートを提供する。
【課題を解決するための手段】
【０００６】
請求項１に記載の考案は、フレグランス成分を含むシートの表面がエンボス加工を施されていることを特徴とする。
【０００７】
請求項２に記載の考案は、エンボス加工を施したフレグランス成分を含むシートを２枚以上重ねて固着していることを特徴とする。
【考案の効果】
【０００８】
請求項１に記載の考案によれば、フレグランス成分を含むシートが立体的に見える。
【０００９】
請求項２に記載の考案によれば、より立体的なエアーフレッシュナーシートになり、各シートに含まれるフレグランス成分を変える事により、これまでに実現しにくかった香りを楽しむことが出来る。
【考案を実施するための最良の形態】
【００１０】
本考案のエアーフレッシュナーシートは、フレグランス成分を含むシートの表面にエンボス加工を施す。また、フレグランス成分を含むシートを２枚以上重ねて固着する。
【実施例１】
【００１１】
以下、図面を参照して本考案に係るエアーフレッシュナーシートの実施例を説明する。
図１は、本考案のフレグランス成分を含むシート１枚にエンボス加工を施した図である。
【００１２】
なお、エアーフレッシュナーシートのシートとは、紙製のものが望ましいが、布製、木製、あるいはこれらにその他の材質が混ざっている厚さの薄い板状のものであっても良い。
【００１３】
まず、フレグランス成分を含むシートにおいて、表面をプレスして凸凹状のエンボスを施し、エアーフレッシュナーシート１を完成させる。
【００１４】
このとき、エアーフレッシュナーシート１の全体の形状は、食べ物、キャラクター、建物、乗り物、人物、魚、昆虫、恐竜、植物等、何でも構わない。
【００１５】
例えば、図１のように、板チョコレートをモチーフにしたエアーフレッシュナーシート１を製造する場合、折れ目と文字や図形にエンボス加工を施すことで、凸凹部分２を成形し、立体的なエアーフレッシュナーシート１が可能となる。
【００１６】
このとき、断面図を示すと、表面は、例えば図２のように凸凹部分２を有した構造になっている。
【００１７】
更に、フレグランス成分を含むシートの色を板チョコレートに近い配色にしたり、かじりかけの歯型が残った輪郭にすることでリアルな板チョコレートのエアーフレッシュナーシートを再現することが出来る。
【実施例２】
【００１８】
図３は、本考案のフレグランス成分を含むシートを２枚以上使用してエンボス加工を施した図である。
【００１９】
次に、２枚の間にクリームが入ったビスケットをエアーフレッシュナーシートで再現する場合、まず２枚のフレグランス成分を含むシート３の表面に文字や図形をエンボス加工を施すことで、凸凹部分２を成形し、輪郭は、ギザギザ形状、全体の色彩は茶色にする。
【００２０】
そして、クリーム色のフレグランス成分を含むシート４を上記２枚のフレグランス成分を含むシート３で挟んで固着すると、リアルなビスケットのエアーフレッシュナーシート１を再現することが出来る。
【００２１】
なお、上説の方法であれば、これまでは、エアーフレッシュナーシート１枚に付き１種類のフレグランス成分を含ませたものしか存在しなかったが、クリーム色のフレグランス成分を含むシートと、このクリーム色のフレグランス成分を含むシートを挟んだ２枚のフレグランス成分を含むシートのフレグランス成分を変えることで、ミックスフレグランスを楽しむことも可能である。
【００２２】
このように、好ましい実施例を挙げて本考案を説明したが、本考案はその実施例に限定されるものではなく、本考案の要旨の範囲内で種々に改変できる。
【図面の簡単な説明】
【００２３】
【図１】本考案のフレグランス成分を含むシート１枚にエンボス加工を施した図である。
【図２】本考案のフレグランス成分を含むシートのエンボス加工を施した断面図である。
【図３】本考案のフレグランス成分を含むシート２枚以上使用してエンボス加工を施した図である。
【符号の説明】
【００２４】
１  エアーフレッシュナーシート
２  凸凹部分
３  フレグランス成分を含むシート
４  クリーム色のフレグランス成分を含むシート
【図１】
0003164128.tif 000003
【図２】
0003164128.tif 000004
【図３】
0003164128.tif 000005
(57)【要約】      （修正有）【課題】円筒のカーラーによる単純なカールではなく、毛髪に長い螺旋状の複雑なカールをつけることができるヘアカーラーを提供する。【解決手段】合成樹脂製螺旋状体に合成樹脂モノフィラメント織物テープを接合した本ヘアカーラーをつくり、毛髪を巻きつけて使用すると、長く螺旋状の新しいカールを髪につけることができる。【選択図】図３
0003164171.tif 000002
【実用新案登録請求の範囲】
【請求項１】
合成樹脂で螺旋状の帯をつくり、その表面に合成樹脂モノフィラメントを織物に織って表面にループを形成し、そのループを切断してフック状にしたテープを接合したヘアカーラー
【考案の詳細な説明】
【技術分野】
【０００１】本考案は頭髪を巻いてカールさせるためのヘアカーラーに関するものである。
【背景技術】
【０００２】従来のヘアカーラーには合成樹脂製の円筒形のコアに髪を巻きつけてヘアをセットしようとするものがある。
【考案の開示】
【考案が解決しようとする課題】
【０００３】従来のヘアカーラーにはただ円筒に巻きつけるだけなので、円筒と同じ直径の単純なカールしかできない。
【課題を解決するための手段】
【０００４】〔図３〕が本考案で合成樹脂製の螺旋体に合成樹脂モノフィラメント織物テープを接合したものである。
【考案の効果】
【０００５】〔図４〕が本考案の使用例で円筒のカーラーによる単純なカールではなく、毛髪に長い螺旋状の複雑なカールをつけることができる。
【実施例】
【０００６】〔図５〕のように本考案のカーラーで毛髪に長い螺旋状の複雑なカールをつけることができる。
【産業上の利用可能性】
【０００７】〔図５〕のように毛髪に長い螺旋状の複雑なカールをつくることにより、新しいヘアスタイルを創造できるようになる。
【図面の簡単な説明】
【０００８】
【図１】本考案に使用する合成樹脂製螺旋体
【図２】本考案に使用する合成樹脂モノフィラメント織物テープ
【図３】〔図１〕に〔図２〕を接合した本考案のヘアカーラー
【図４】本考案のヘアカーラー〔図３〕に毛髪を巻きつけた使用例
【図５】本考案のヘアカーラーを使用してできた、長い螺旋状の毛髪
【図１】
0003164171.tif 000003
【図２】
0003164171.tif 000004
【図３】
0003164171.tif 000005
【図４】
0003164171.tif 000006
【図５】
0003164171.tif 000007
(57)【要約】【課題】ナット本体の上部を半球状として体裁よく保つことができながら、締め付けが確実強固に行なえると共に、緩みも防止できる袋ナットを得る。【解決手段】ねじ穴１０ａを有する多角形ナット本体１０の上部に半球状に膨出する中空の膨出部１１を備えた袋ナット１において、膨出部１１の頂部に、ナット本体１０のねじ穴１０ａと同一軸線上でかつこのねじ穴１０ａを形成するタップと同じタップにより同径及び同ピッチに貫通形成された補助ねじ穴１１ａを備えている構造とした。【選択図】図１
0003164172.tif 000002
【実用新案登録請求の範囲】
【請求項１】
ねじ穴を有する多角形ナット本体の上部に半球状に膨出する中空の膨出部を備えた袋ナットにおいて、膨出部の頂部に、ナット本体のねじ穴と同一軸線上でかつこのねじ穴を形成するタップと同じタップにより同径及び同ピッチに貫通形成された補助ねじ穴を備えていることを特徴とする袋ナット。
【考案の詳細な説明】
【技術分野】
【０００１】  本考案は、ねじ穴を有する多角形ナット本体の上部に半球状に膨出する中空の膨出部を備えた袋ナットに関するものである。
【背景技術】
【０００２】  従来、この種の袋ナットとしては、ねじ穴を有する多角形ナット本体の上部に半球状に膨出する中空の膨出部を備えたものが知られている。
【考案の概要】
【考案が解決しようとする課題】
【０００３】  ところが、上記した袋ナットによれば、ナット本体の上部に半球状に膨出する中空の膨出部を設けることにより、ねじ穴の上部側を閉じて締結ボルトの先端側を覆うと同時にナット本体の上部側を半球状として体裁よくできる反面、ねじ穴がナット本体部分のみに形成されているだけであるため、締め付け力が弱く、また、緩みも生じ易いものであった。【０００４】  そこで、本考案は、ナット本体の上部側を半球状として体裁を良好に保つことができながら、締め付けが確実強固に行なえると共に、緩み防止効果も向上できる袋ナットの提供を課題とする。
【課題を解決するための手段】
【０００５】  本願の請求項１記載の考案は、ねじ穴を有する多角形ナット本体の上部に半球状に膨出する中空の膨出部を備えた袋ナットにおいて、膨出部の頂部に、ナット本体のねじ穴と同一軸線上でかつこのねじ穴を形成するタップと同じタップにより同径及び同ピッチに貫通形成された補助ねじ穴を備えていること特徴とする。
【考案の効果】
【０００６】  本考案の袋ナットによれば、半球状に膨出する膨出部の頂部に、ナット本体のねじ穴と同一軸線上でかつこのねじ穴を形成するタップと同じタップにより同径及び同ピッチに貫通形成された補助ねじ穴を備えているから、締結ボルトによる締結時には、締結ボルトにおけるねじ軸の中間部がナット本体のねじ穴に螺合されると共に、その先端部が膨出部の補助ねじ穴に螺合されることになる。その結果、締結ボルトはナット本体のねじ穴と膨出部の補助ねじ穴との２箇所で締結されて、締結ボルトと袋ナットによる締め付けが確実強固に行なえる共に、緩み防止効果も向上させることができる。その上、締結ボルトとして、ねじ軸先端に丸みをもち、かつ締結時に膨出部の開口端を閉鎖すると共にそのねじ軸先端面と膨出部とで連続する球面状を形成するようなねじ軸寸法としたものを用いることにより、袋ナットにおける膨出部を、その頂部に開口端があからさまに露出しない半球状として体裁を良好に保つことができる。
【図面の簡単な説明】
【０００７】
【図１】本考案に係る袋ナットの縦面図である。
【図２】同袋ナットの正面図である。
【図３】同袋ナットの使用状態を示す縦面図である。
【考案を実施するための形態】
【０００８】  以下本考案に係る袋ナットを図に基づいて説明する。
【０００９】  図１及び図２は、本考案に係る袋ナットを示し、この袋ナット１は、ねじ穴１０ａを有する四角ナット本体１０の上部に半球状に膨出する中空の膨出部１１が一体に連設されていると共に、膨出部１１の頂部に、ナット本体１０のねじ穴１０ａの中心と同一軸線上でかつこのねじ穴１０ａを形成するタップと同じタップにより同径及び同ピッチに貫通形成された補助ねじ穴１１ａを備えたものである。
【００１０】  ナット本体１０の下部には、鍔状の座部１２が形成されている。そして、図２に示すように、ねじ穴１０ａの下端面には面取り用のテーパ状凹み部１０ｂが形成されている。
【００１１】  また、図３は、袋ナット１の使用状態を示す縦断面図で、図において符号２は締結ボルトであって、締結ボルト２は、そのねじ軸先端面２ａが丸みをもち、かつ締結時に膨出部１１の開口端を閉鎖すると共にそのねじ軸先端面２ａと膨出部１１とで連続する球面状を形成するねじ軸寸法のものを用いている。３は取付孔３ａを有する固定側部材、４は挿通孔４ａを有し、固定側部材３に取り付けられる被取付部材である。
【００１２】  次に、以上のように構成した袋ナットの作用について説明する。
【００１３】  使用に際しては、図３に示すように固定側部材３の取付孔３ａと被取付側部材４の挿通孔４ａとに締結ボルト２を挿通する一方、袋ナット１を締結ボルト２のねじ軸２ａに螺合して締結する。このとき、半球状に膨出する中空の膨出部１１の頂部に、ナット本体１０のねじ穴１０ａと同一軸線上でかつ同じタップにより同径及び同ピッチに形成された補助ねじ穴１１ａが貫通形成されているので、締結ボルト２におけるねじ軸２０の中間部がナット本体のねじ穴１０ａに螺合されると共に、その先端部が膨出部１１の補助ねじ穴１１ａに螺合されることになる。これにより、締結ボルト２はナット本体１０のねじ穴１０ａと膨出部１１の補助ねじ穴１１ａとの２箇所で締結されるので、締結ボルト２と袋ナット１による締め付けが確実強固に行なえると共に、緩み防止効果も向上させることができる。また、締結ボルト２として、ねじ軸２ａ先端に丸みをもち、かつ締結時に膨出部１１の開口端を閉鎖すると共にそのねじ軸２ａの先端面と膨出部１１の外面とで連続する球面状を形成するねじ軸寸法としたものを用いることにより、袋ナット１における膨出部１１を、その頂部に開口端があからさまに露出しない半球状として体裁を良好に保つことができる。
【００１４】  なお、図に示す実施の形態では、ナット本体１０を四角形としたものについて説明したけれども、六角や八角形など多角形であってもよいこと勿論である。
【符号の説明】
【００１５】  １        袋ナット
１０      ナット本体
１０ａ    ねじ穴
１１      膨出部
１１ａ    補助ねじ穴
【図１】
0003164172.tif 000003
【図２】
0003164172.tif 000004
【図３】
0003164172.tif 000005